【手続補正書】
【提出日】令和3年2月19日(2021.2.19)
【手続補正１】
【補正対象書類名】明細書
【補正対象項目名】００１５
【補正方法】変更
【補正の内容】
【００１５】
図１には示されていないが、状態監視システム１は、図２に示す稼動データ記憶部１１を備えている。
この稼動データ記憶部１１には、機械Ａおよび機械Ｂのセンサデータが格納される。稼動データ記憶部１１に格納されているセンサデータは、センサ値とタイムスタンプを持っている。例えば、稼動データ記憶部１１には、機械Ａのエンジンの排気温度の値が2017年１月１日０時０分０秒から、2017年12月31日23時59分59秒まで１秒刻みで格納されている。
【手続補正２】
【補正対象書類名】明細書
【補正対象項目名】００１６
【補正方法】変更
【補正の内容】
【００１６】
また、稼動データ記憶部１１に記録される稼働データの中には、機械Ａまたは機械Ｂに関する温度や圧力などの物理量が含まれる。そして、これらの温度や圧力などの物理量が、例えば、「対象部位の温度が一定値以上になった」、あるいは「圧力が××Ｐａ以下になっている」などの許容される範囲を超えた状態になったときに、機械Ａまたは機械Ｂの異常が判断される。
【手続補正３】
【補正対象書類名】明細書
【補正対象項目名】００１８
【補正方法】変更
【補正の内容】
【００１８】
上述したように、状態監視システム１は、機械Ａおよび機械Ｂからセンサデータ（稼働データ）を収集する。また、状態監視システム１は、分析フロー作成システム４で得られる分析フローに示される異常検知の手順に従って、機械Ａまたは機械Ｂにおける異常の有無を定期的または不定期に診断し、診断結果を管理者３に報告する。管理者３は、状態監視システム１からの診断結果の報告を受けて、機械Ａまたは機械Ｂの異常を知ったときには、現場の保守員２に対し、機械Ａまたは機械Ｂの保守作業の実施を指示する。
また、管理者３は、状態監視システム１に対してモデルの更新を行う。このモデルの更新は、状態監視システム１と分析フロー作成システム４で共有される。
【手続補正４】
【補正対象書類名】明細書
【補正対象項目名】００２０
【補正方法】変更
【補正の内容】
【００２０】
＜分析フロー作成システムの構成＞
図２は、本例の分析フロー作成システム４の機能的な構成を示すブロック図である。
図２に示すように、分析フロー作成システム４は、一点鎖線で囲んだ範囲の、稼動データ検索部１２、分析フロー一時記憶部１３、中間フォーマット変換部１４、中間フォーマット一時記憶部１５を備える。さらに、本例の分析フロー作成システム４は、中間フォーマット検索部１６、中間フォーマット蓄積部１７、ノード検索部１８、ドキュメント変換部１９、ドキュメント記憶部２０、ユーザＩＦ部２１を備える。
なお、稼動データ記憶部１１については、通常、図１の状態監視システム１内の記憶部（不図示）として構成されるので、図２では、一点鎖線の枠外に配置しているが、設計上では、分析フロー作成システム４の構成の中に含めることもできる。ユーザＩＦ部２１は、ネットワークＮを介して、分析フロー作成者５が利用するユーザ端末装置３０に接続されている。
【手続補正５】
【補正対象書類名】明細書
【補正対象項目名】００２３
【補正方法】変更
【補正の内容】
【００２３】
図１で説明したように、機械Ａおよび機械Ｂからのセンサデータは、状態監視システム１に定期的に送信され、稼動データ記憶部１１に保存される。この稼動データ記憶部１１に保存されたセンサデータは、分析フロー作成システム４の稼動データ検索部１２により検索され、検索結果が分析フロー一時記憶部１３に保存される。なお、機械Ａと機械Ｂは、必ずしも同種の製品である必要はない。例えば、同じメーカーの製品であってモデルが異なるものでもよいし、異なるメーカーの製品であってもよい。
【手続補正６】
【補正対象書類名】明細書
【補正対象項目名】００３３
【補正方法】変更
【補正の内容】
【００３３】
また、中間フォーマット一時記憶部１５に保存されている中間フォーマット情報は、分析フロー作成時の入力を促す画面として、ネットワークＮ経由で分析フロー作成者５に提供される。分析フロー作成者５は、提供された中間フォーマット情報に係る入力画面をユーザ端末装置３０の表示部３１に表示して、分析フローの作成作業を開始する。
なお、既に述べたように、ユーザである分析フロー作成者５による分析フローの作成は、ユーザ端末装置３０上で行われるが、実際にはネットワークＮ経由で、分析フロー一時記憶部１３上で行われることになる。したがって、分析フロー作成者５の作業結果は、分析フロー一時記憶部１３に保存される。このとき、分析フローの作成に際しては、作業中のノードを作成する画面の右側に、過去において作成された事例（過去事例）が表示される（図１０参照）。
【手続補正７】
【補正対象書類名】明細書
【補正対象項目名】００３５
【補正方法】変更
【補正の内容】
【００３５】
以下、学習及び評価のそれぞれのフェーズにおけるノードについて、簡単に説明する。
（ａ）「データ読込」ノードは、学習フェーズにおいて、機械の稼働データを読み込むノードである。稼動データ検索部１２は、指定した機械と当該機械に設置されるセンサで測定した期間の稼働データを稼動データ記憶部１１から取得し、分析フロー一時記憶部１３に保存して展開する。
（ｂ）「欠損値補間」ノードは、機械の稼動データの欠損値を補間するためのノードである。データ読込ノードと欠損値補間ノードは、本例の分析フロー作成システムにおける準備（Preparation）段階のノードである。この欠損値補間ノードでは、稼動データ記憶部１１から取得した稼働データに不明な値（不明値）が含まれている場合に、この不明値に然るべき値を入力して、以降のフローの処理を実行する。この処理では、例えば、各センサ値の平均値を計算して、不明値を平均値で置き換える処理が行われる。
【手続補正８】
【補正対象書類名】明細書
【補正対象項目名】００３７
【補正方法】変更
【補正の内容】
【００３７】
（ｄ）「仮想センサ作成」ノードは、稼動データ記憶部１１に記憶されているセンサでは十分でないときに、既存のセンサの幾つかを組み合わせて仮想的なセンサを作成するノードである。すなわち、仮想センサ作成ノードは、センサ選択ノードで選択されたセンサでは、異常検知を捕らえられないと分析フロー作成者５が判断したときに、実在しない仮想的なセンサを作成するノードである。例えば、仮想センサ作成ノードでは、センサ選択ノードで選択したセンサとして３つのセンサＳ１、Ｓ２、Ｓ３があった場合に、仮想センサとして「Ｓ１−Ｓ２」のような実在しないセンサが作成される。
【手続補正９】
【補正対象書類名】明細書
【補正対象項目名】００７９
【補正方法】変更
【補正の内容】
【００７９】
１・・・状態監視システム、２・・・保守員、３・・・管理者、４・・・分析フロー作成システム、１１・・・稼動データ記憶部、１２・・・稼動データ検索部、１３・・・分析フロー一時記憶部、１４・・・中間フォーマット変換部、１５・・・中間フォーマット一時記憶部、１６・・・中間フォーマット検索部、１７・・・中間フォーマット蓄積部、１８・・・ノード検索部、１９・・・ドキュメント変換部、２０・・・ドキュメント記憶部、２１・・・ユーザＩＦ部、３０・・・ユーザ端末装置、３１・・・ユーザ端末装置の表示部、  Ａ、Ｂ、Ｃ・・・異常検知対象となる機械、α、β、γ・・・対象部位の温度